(57)【要約】      （修正有）【課題】不織布に液状の物質がすべて等しく混じって、機能性物質の機能が下がることを防止するパウチを提供する。【解決手段】下部フィルムと、上部フィルムと、下部フィルムと上部フィルムを合わせて端部を完全に熱圧搾で縫合して中心部に包装空間を形成する第１の縫合線３０と、第１の縫合線と繋がれて２ヶ所以上の包装空間に分割する第２の縫合線３３とを有し、包装空間５０には機能性物質７３が塗布された不織布７０が包装され、包装空間５３には液状の物質８０が包装され、包装空間５３に圧力をかけると、第２の縫合線３３が突き破られて、包装空間５０と連通する。包装空間５０内部に貫通される開口部３を通じて包装空間５０内部を真空に密封する。【選択図】図２
0003170191.tif 000002
【実用新案登録請求の範囲】
【請求項１】
一定の大きさである下部フィルムと、
前記下部フィルムの上部に配置されて前記下部フィルムに対応される大きさである上部フィルムと、
前記下部フィルムと前記上部フィルムを合わせて端部を完全に熱圧搾で縫合して中心部に包装空間を形成する第１の縫合線と、
前記第１の縫合線と繋がれて前記包装空間を少なくとも２ヶ所以上の包装空間に分割する第２の縫合線と、を有し、
前記第２の縫合線に分割された前記包装空間の中で第１の包装空間には機能性物質が塗布された不織布が包装され、第２の包装空間には液状の物質が包装され、
前記第２の包装空間に圧力をかけると、前記第２の縫合線が突き破られて前記第１の包装空間と連通するパウチであって、
前記第１の包装空間内部に貫通される開口部を形成し、該開口部を通じて前記第１の包装空間内部を真空に密封することを特徴とするパウチ。
【請求項２】
前記第２の包装空間に圧力をかけて、前記第２の縫合線が突き破れるように、前記第２の縫合線は前記下部フィルムと前記上部フィルムを半熱圧搾で縫合して形成されたことを特徴とする請求項１記載のパウチ。
【請求項３】
前記第２の包装空間に圧力をかけて、前記第２の縫合線が突き破れるように、前記第２の縫合線の中心部は前記下部フィルムと前記上部フィルムを半熱圧搾で縫合して形成されたことを特徴とする請求項１または請求項２記載のパウチ。
【請求項４】
前記下部フィルム及び前記上部フィルムの少なくとも一方は、一部分又は全体が前記包装空間内の内容物を確認することができる透明な素材で形成されたことを特徴とする請求項１から３のいずれか１項に記載のパウチ。
【請求項５】
真空度を高めるために前記真空が形成された前記第１の包装空間に窒素ガスを充填後、また真空が形成されることを特徴とする請求項１から４のいずれか１項に記載のパウチ。
【考案の詳細な説明】
【技術分野】
【０００１】
本考案はパウチに関し、詳細には、複数の隔離された包装空間の中で一つを真空状態で作って包装空間を連結して内容物を混合させる時、内容物がすべて等しく混ざるようにするパウチに関する。
【背景技術】
【０００２】
化粧品や医薬品等と内容物の密閉包装用で、フィルム形態の包装紙に製造されたパウチが広く使われ、最近は、マスクパック用包装手段としても使われている。
【０００３】
近頃、マスクパック用パウチの中で、二つの包装空間を持つパウチをよく見かけるが、片方の包装空間には、乾燥した状態の不織布と不織布に塗布される機能性物質が入っていて、他方の包装空間には、液状形態の物質が入っている。ビタミンＣ，レチノールのような有効成分で構成された機能性物質は、液状の物質と接すると水分によって有効成分の効能が減少する。従って、機能性物質は、液状の物質と分離して包装される。
【０００４】
二つの包装空間の境目は、熱圧縮方法で圧搾して縫合線を形成して作られ、その縫合線は完全に圧搾されてない半熱圧搾によって形成される。また、二重包装空間は、空気で満たされている。
【０００５】
ここで、不織布に塗布された機能性物質が包装空間内の酸素と反応すると、機能性物質の有効成分は、酸素と反応し、時間が経過することによって、有効成分の効能が減少するので、結局は使用期限の短縮を招く。
【０００６】
そして、マスクパックを使うために、空気が満たされた二重包装空間を加圧すれば、半熱圧搾された縫合線は裂けて、不織布と不織布に塗布された機能性物質に液状の物質が染み込む。
【０００７】
しかし、物質が二重包装空間内に入っている空気によって、不織布に早く移動されない問題が発生する。このように、液状の物質が不織布に充分に染込まれないと、マスクパックとしての役目を果たせなくなり、消費者は使用に満足感を得ることができなくなる。
【考案の概要】
【考案が解決しようとする課題】
【０００８】
従って、本考案の目的は、上記のような問題点を解決するために、不織布に液状の物質がすべて等しく混じって、機能性物質の機能が下がることを防止するパウチを提供することにある。
【課題を解決するための手段】
【０００９】
かかる目的を達成するために、本考案は、以下の特徴を有することとする。
【００１０】
本考案に係るパウチは、一定の大きさである下部フィルムと、下部フィルムの上部に配置されて下部フィルムに対応される大きさである上部フィルムと、下部フィルムと上部フィルムを合わせて端部を完全に熱圧搾で縫合して中心部に包装空間を形成する第１の縫合線と、第１の縫合線と繋がれて包装空間を少なくとも２ヶ所以上の包装空間に分割する第２の縫合線と、を有し、第２の縫合線に分割された包装空間の中で一つの包装空間には機能性物質が塗布された不織布が包装され、他の包装空間には液状の物質が包装され、液状の物質が包装されている包装空間に圧力をかけると、第２の縫合線が突き破られて不織布が包装されている包装空間と連通するパウチであって、不織布が包装される包装空間内部に貫通される開口部を形成し、開口部を通じて不織布が包装される包装空間内部を真空に密封することを特徴とする。
【考案の効果】
【００１１】
上記のような本考案は、不織布に液状の物質がすべて等しく混ざるようにする。
また、本考案によると、不織布に塗布された機能性物質が空気の接触を避けることができ、有効成分を長く持続することができる。
【図面の簡単な説明】
【００１２】
【図１】本考案の一実施形態によるパウチを表す斜視図である。
【図２】図１の内部を表す平面図である。
【図３】図１のＡ−Ａ'線による断面斜視図である。
【図４】図１の半縫合線が突き破れて物質が移動することを表す平面図である。
【図５】図４のＢ−Ｂ'線による断面図である。
【考案を実施するための形態】
【００１３】
以下、本考案による実施形態を図面を参照して詳しく説明する。添付された図面において等しい構成要件は、同じ符号で表示している。そして、本考案の要旨ではない公知機能及び構成に対する詳細な説明は省略する。
【００１４】
図１、図３に示されるように、本考案の実施形態によるパウチ１００は、マスクパック用として使用され、下部フィルム１０、上部フィルム２０、第１の縫合線及び第２の縫合線を有する。
【００１５】
下部フィルム１０は、四角形形状で一定の大きさがあり、密閉用包装フィルムに製造される。上部フィルム２０は、下部フィルム１０と等しい形状と材質であり、下部フィルム１０の上部に配置されて、下部フィルム１０に対応する大きさである。
【００１６】
第１の縫合線３０は、下部フィルム１０と上部フィルム２０を合わせて端部を完全に熱圧搾で縫合して形成され、中心部に一つの包装空間を形成する。
【００１７】
第２の縫合線３３は、第１の縫合線３０と繋がれて一つの包装空間を２ヶ所の包装空間、即ち、第１の包装空間５０と第２の包装空間５３に分割する。第２の縫合線３３は、向かい合う両方の第１の縫合線３０を垂直に横切る方向に形成される。
【００１８】
ここで、第２の縫合線３３に分割された第２の包装空間５３に、所定の圧力をかければ第２の縫合線３３が突き破られて、分割された第１及び第２の包装空間５０、５３が連通できるように、第２の縫合線３３の少なくとも一部分が下部フィルム１０と上部フィルム２０を半熱圧搾に縫合して形成される。即ち、第１の縫合線３０と繋がる部分は、しっかり第１の縫合線３０のような熱圧搾で形成され、中心部は半熱圧搾で形成された半縫合線３３ａである。
【００１９】
しかし、必ずこれに限定されるのではなく、第２の縫合線３３の全体が半熱圧搾で形成されてもよい。また、第１及び第２の縫合線３０、３３を熱圧搾方法で形成する例を開示したが、これに限定されることはなく、多様な方法で縫合線を形成することができる。
【００２０】
一方、第２の包装空間５３に加えられる圧力によって、第１の縫合線３０が突き破れることを防止するため、第１の縫合線３０は、第２の縫合線３３より強い接着力を持つように形成されている。
【００２１】
そして、パウチ１００を容易に開放できるように、第１の包装空間５０の第１の縫合線３０の片側にノッチ５が形成されている。
【００２２】
図２と図３を参照すると、第１の包装空間５０には、不織布７０が包装されている。ここで、不織布７０は、顔に使うマスクシートとして使われるが、必ずこれに限定されず、手に使うように手袋の形状に製造されるとか、足に使うように靴下の形状に製造されることもできる。
【００２３】
そして、不織布７０には、液状の物質８０と混合する場合、機能性が下がる機能性物質７３が不織布７０に塗布された状態で提供される。機能性物質は、ビタミンＣ、レチノールのような有効成分で構成され、肌に栄養分を供給する。
【００２４】
第２の包装空間５３には、液状の物質８０が包装されている。液状の物質８０は不織布と混じって、皮膚に水分供給と弾力を与える成分が含有されている。望ましくは、第１の包装空間５０を第２の包装空間５３より大きく形成することが望ましい。一方、第２の包装空間５３に包装された液状の物質８０が外部で加えられる圧力によって第２の縫合線３３を突き破れるように、第２の包装空間５３を膨らませて形成することが望ましい。
【００２５】
一方、本考案の実施形態のパウチ１００は、第２の包装空間５３を一つの空間として形成されているが、必ずこれに限定されず、いくつかの空間が形成されていてもよい。即ち、第２の包装空間５３を２ヶ所以上に分けることができ、いくつかで分けられた空間には、それぞれ第１の包装空間５３に連通されるいくつかの半縫合線が形成される。
【００２６】
図１と図２を参照すると、ノッチ５と向かい合う第１の包装空間５０の第１の縫合線３０の一部に、第１の包装空間５０の内部に貫通される開口部３が形成され、開口部３を通じて真空包装機(未図示)を使って、第１の包装空間５０の内部に形成された空気を全部取り除くことができる。そして、空気を取り除いた後、開口部３の内側の周りを熱圧搾して形成された第３の縫合線３５で密封して、第１の包装空間５０の内部を真空状態にすることができる。従って、第１の包装空間５０は、収縮して下部フィルム１０と上部フィルム２０とが、不織布７０と密着して接触される。
【００２７】
これによって、第１の包装空間５０の内部が真空状態なので、空気が入っている第２の包装空間５３より低い圧力となる。第１の包装空間５０と第２の包装空間５３に圧力差を設けることで、圧力が高い第２の包装空間５３の液状の物質８０が、圧力が低い第１の包装空間５０の圧力差によって自ら移動ができるようになる。
【００２８】
そして、第１の包装空間５０内の不織布７０に塗布された機能性物質７３が空気と接触しなくなり、その有効成分を長く持続することができる。
【００２９】
一方、本考案は、開口部３と第３の縫合線３５の位置が限定されるものではなく、第１の包装空間５０に不織布７０が挿入される第１の縫合線３０のラインを利用して真空にした後、その開口された第１の縫合線３０を熱圧搾することで、開口部３と第３の縫合線３５とが形成されなくてもよい。
【００３０】
図４と図５とに示すように、第２の包装空間５３に圧力が加えられて第２の縫合線３３の半縫合線３３ａが突き破られると、高い圧力を持つ第２の包装空間５３に包装された液状の物質８０は、半縫合線３３ａが突き破られて形成された液体通路７を通じて隣り合う真空状態の第１の包装空間５０に速い速度で移動する。この時、速い速度で移動する液状の物質８０は、不織布７０にすべて等しく染み込む。
【００３１】
このように、第１の包装空間５０が真空になることで、不織布７０に塗布される機能性物質７３が長く持続することができ、第２の縫合線３３の半縫合線３３ａが突き破れる時、第１の包装空間５０が真空ではない場合より、不織布７０に液状の物質８０がすべて等しく混ざることができて、消費者は満足感を得る事ができる。
【００３２】
一方、第１及び第２の包装空間５０、５３に含まれた内容物と第１の包装空間５０で不織布７０に液状の物質８０が均一に染み込むかどうかをパウチ１００の外で肉眼で確認する事ができるように、下部フィルム１０及び上部フィルム２０の少なくとも一方は、一部分を透明な素材で作ることができる。即ち、下部フィルム１０又は上部フィルム２０又は下部及び上部フィルム１０、２０の一部分に透明なフィルムが使われ、透視窓を形成することができる。透視窓は、第１の包装空間５０と第２の包装空間５３のそれぞれに形成されることが望ましい。
【００３３】
ここで、透明なフィルムは、透視窓の一部分に必ず限定するものではなく、下部フィルム１０又は上部フィルム２０又は下部及び上部フィルム１０、２０全体が透明なフィルムで作られてもよい。
【００３４】
一方、透視窓に光を遮断するため、透視窓部位に脱付着可能なステッカーを附着することもできる。これは、透視窓を通じて内部に光が入り、内容物が変質することを防ぐためである。
【００３５】
本考案は、パウチ１００の第１の包装空間５０の真空度を高めるために、真空が形成された第１の包装空間５０に窒素ガスを充填後、また真空が形成されることができる。即ち、第１の包装空間５０の内部に真空が形成されたとしても酸素が一部残っている事もあるので、これを最大限取り除くために、窒素ガスを第１の包装空間５０の内部に入れることで残余酸素を取り除くことができ、ここにまた真空を形成することで、真空度を高めることができる。そして、真空度を更に高めるために窒素ガスを充填後、また真空を形成する上記の過程を何回も繰り返すことができる。
【００３６】
次に、このような構造を有するパウチ１００を使う方法を図１又は図５を参照して説明する。
【００３７】
先ず図１又は図３に示されるように、第１の包装空間５０に機能性物質７３が塗布された不織布７０が包装されて、第２の包装空間５３に液状の物質８０が包装された状態でパウチ１００が提供される。この時、第１の包装空間５０は、真空が形成されているので、不織布７０は圧縮された状態にあり、不織布７０に塗布された機能性物質は空気と接触しないので、機能性物質７３の有効成分の効能が落ちることを防ぐことができる。
【００３８】
そして、図４及び図５に示されるように、使用者がパウチ１００に包装された不織布７０を使うため、液状の物質８０が包装された第２の包装空間５３に第２の縫合線３３を突き破ることができる位の圧力を加圧すれば、下部フィルム１０と上部フィルム２０の間の半縫合線３３ａは、突き破られて、第１の包装空間５０と第２の包装空間５３は、液体通路７を通じて連通される。
【００３９】
従って、第２の包装空間５３の液状の物質８０は、第１の包装空間５０に注入されて不織布７０に染み込む。この時、第２の包装空間５３の液状の物質８０は、第２の包装空間５３より圧力が低い第１の包装空間５０に速く移動して、不織布７０にすべて等しく染みこむ。
【００４０】
最後に、第１の包装空間５０の第１の縫合線３０に形成されたノッチ５部分にしたがってパウチ１００を切開して第１の包装空間５０にある不織布７０を取り出して使うことが出来る。そして、不織布７０に塗布された機能性物質７３の有効成分の効能が直ぐに発揮される。
【００４１】
以上、本考案に関して実施形態を説明したが、必ずこれらに限定するものではなく、本考案の技術的思想の範疇内で、種々修正及び変形実施が可能である。
【符号の説明】
【００４２】
１０    下部フィルム
２０    上部フィルム
３０    第１の縫合線
３３    第２の縫合線
５０    第１の包装空間
５３    第２の包装空間
７０    不織布
７３    機能性物質
８０    液状の物質
１００    パウチ
【図１】
0003170191.tif 000003
【図２】
0003170191.tif 000004
【図３】
0003170191.tif 000005
【図４】
0003170191.tif 000006
【図５】
0003170191.tif 000007